(57)【要約】      （修正有）【課題】弁当等の販売食品に含まれる原材料等に関して、誰にでもわかり易く、購入選定時の補助および喫食時の注意喚起を行うピクトグラム表示部を備える販売食品用容器を提供する。【解決手段】販売食品を収納するための容器１０であって、該容器１０の一側面１２には、弁当に含まれる原材料に対応するピクトグラムを表示するピクトグラム表示部２０が備わる。また、別の側面１３には、原材料名表示部３０が備わる。ピクトグラム表示部２０は、例えば、その販売食品に含まれる原材料のうち、アレルゲンに該当する特定原材料をピクトグラムで表示する。【選択図】図１
0003214443.tif 000002
【実用新案登録請求の範囲】
【請求項１】
販売食品を収納するための容器であって、該容器の外装に、前記販売食品に含まれる原材料に対応するピクトグラムを表示するピクトグラム表示部を備えることを特徴とする販売食品用容器。
【請求項２】
前記ピクトグラム表示部は、前記販売食品に含まれる全ての原材料のうち、特定の原材料に対応するピクトグラムを表示するものであることを特徴とする請求項１に記載の販売食品用容器。
【請求項３】
前記ピクトグラム表示部は、前記容器を包装する包装紙に印刷されることを特徴する請求項１又は２に記載の販売食品用容器。
【請求項４】
前記販売食品用容器は、弁当を収納するための弁当容器であることを特徴とする請求項１乃至３の何れかに記載の販売食品用容器。
【請求項５】
飲食物提供サービス店において提供される飲食物を一覧表示する飲食物メニューにおいて、各飲食物に対応して、その飲食物に含まれる原材料に対応するピクトグラムを表示するピクトグラム表示部を備えることを特徴とする飲食物メニュー。
【考案の詳細な説明】
【技術分野】
【０００１】
この考案は、弁当など販売食品を収納するための容器等における原材料等の表示に関する。
【背景技術】
【０００２】
従来、例えば弁当など販売用の食品（「販売食品」という）を収納するための容器の外装には、食品表示法又はその他の法令により定められた原材料名や食物アレルギーを起こす原材料（「アレルゲン」）を含む旨の表示（「アレルギー表示」）等が掲載される。この明細書では、食品表示法等により定められた原材料名等の表示を「原材料名表示」と呼ぶ。原材料名表示は、一般的には、原材料名やアレルギー表示等を文字で記載するものである。
【０００３】
原材料名やアレルギー表示等の情報は、弁当等の購入者、特に食物アレルギー体質をもつ購入者や信仰上の理由から特定の食品を摂取しない購入者にとっては、購入選定時の補助、或いは、喫食時の誤食防止のための注意喚起として、極めて重要である。また、かかる情報による購入選定時の補助および喫食時の注意喚起は、例えばレストランのメニューなどにおいても有益である。このため、弁当等の販売食品用容器やレストランメニュー等において、原材料名やアレルギー表示等は、誰にでもわかり易く、視認性に優れた方法で提示されるのが望ましい。
【０００４】
しかし、従来の文字による原材料名表示では、購入者に対して目立ちにくく、購入選定時の補助および喫食時の注意喚起としての役割を果たすには不十分であった。また、例えば外国人など当該文字を解さない人は、その内容を理解できない。また、比較的小さな文字で沢山の原材料名等を記載しているので、視認性に乏しかった。
【考案の概要】
【考案が解決しようとする課題】
【０００５】
この考案は上述の点に鑑みてなされたもので、弁当等の販売食品に含まれる原材料等に関して、誰にでもわかり易く、購入選定時の補助および喫食時の注意喚起を行うことができるようにすることを目的とする。
【課題を解決するための手段】
【０００６】
この考案は、販売食品を収納するための容器であって、該容器の外装に、前記販売食品に含まれる原材料に対応するピクトグラムを表示するピクトグラム表示部を備えることを特徴とする販売食品用容器である。
【考案の効果】
【０００７】
この考案によれば、販売食品用容器の外装に、その販売食品に含まれる原材料に対応するピクトグラムを表示するピクトグラム表示部を備えることにより、誰にでもわかり易く、弁当等の販売食品の原材料に関して、購入選定時の補助および喫食時の注意喚起を行うことができる、という優れた効果を奏する。
【図面の簡単な説明】
【０００８】
【図１】この考案にかかる販売食品用容器の一例であって、弁当容器を示す斜視図。
【図２】弁当容器に掛け紙を掛けた状態を示す斜視図。
【図３】原材料名表示欄の一例を示す図。
【図４】ピクトグラム表示部の一例を示す図。
【図５】２７品目の特定原材料に対応するピクトグラムの一例を示す図。
【図６】ピクトグラム表示部の別の例を示す図。
【図７】この考案の別の実施形態であって、レストランメニューにおいてピクトグラム表示部を備える例を示す図。
【考案を実施するための形態】
【０００９】
図１は、本考案の一実施形態に係る販売食品用容器の全体を斜め上から見た斜視図である。図１は、販売食品を収納する容器の一例として、販売用の弁当を収納する弁当容器１０を示す。弁当容器１０の上面１１には、弁当の名称等が掲示されている。弁当容器の一側面１２には、弁当に含まれる原材料に対応するピクトグラムを表示するピクトグラム表示部２０が備わる。また、別の側面１３には、原材料名表示部３０が備わる。
【００１０】
一例として、弁当容器１０は、販売時には、図２に示すように、掛け紙１４により包装される。この例では、弁当の掛け紙１４は、上面１１と２つの側面１２、１３にわたって掛けられており、容器１０の外装となる。ピクトグラム表示部２０は掛け紙１４上に印刷される。ピクトグラム表示部２０の印刷は、弁当容器１０に当該掛け紙１４を掛ける前に予め行われる。
【００１１】
図３は、側面１３に備わる原材料名表示部３０の一例を示す。原材料名表示部３０は、食品表示法その他の法令の定めにより、当該弁当に含まれる全ての原材料名や食物アレルギーを起こす原材料（「アレルゲン」）を含む旨の表示（「アレルギー表示」）を、例えば日本語文字により掲載している。
【００１２】
図３に示すように、食品表示法等の定めによる原材料名表示部３０の「アレルギー表示」は、原材料名中のかっこ書き（図３において「（原材料の一部に卵、小麦、乳成分、牛肉、さば、大豆、リンゴを含む）」）で行われているだけであり、目立ちにくい。この点、この実施例に係る弁当容器１０は、原材料名表示部３０とは別にピクトグラム表示部２０を備えており、ピクトグラム表示部２０に、アレルゲンとなる原材料をピクトグラムで表示することにより、文字だけではわかりにくいアレルギー表示が、目立つようになる。
【００１３】
図４は、ピクトグラム表示部２０の一例を示す。ピクトグラム表示部２０は、当該弁当に含まれる全ての原材料のうち、アレルゲンに該当する原材料を、ピクトグラムにより表示する。ピクトグラム表示部２０に表示すべきアレルゲンに該当する原材料は、例えば、食品表示法等により食物アレルギーを起こすものとして指定された２７品目の特定原材料（７品目の特定原材料と２０品目の特定原材料に準ずるもの）である。
【００１４】
例えば、図４のピクトグラム表示部２０には、乳成分、卵、小麦、さば、牛肉、りんご、及び、大豆の７品目の特定原材料に対応するピクトグラム２１ａ〜２１ｇが横一列に並べて表示されている。各ピクトグラム２１ａ〜２１ｇは、対応する原材料を図柄（絵）により視覚的に表現したものであり、対応する原材料が何であるのか何人にも直感的に理解できるようにデザインされている。図４の例では、各ピクトグラムは、背景を色塗りされた略正方形の枠内に、対応する原材料の図柄（絵）を白抜きで描いたものであり、７品目の特定原材料と２０品目の特定原材料に準ずるものとで、背景色を異ならせている。また、ピクトグラム２１ａ〜２１ｇは、視認性を高めるために、できるだけ大きいサイズで表示されることが望ましく、一例として１０ｍｍ四方をその最小サイズとするとよい。
【００１５】
また、各ピクトグラム２１ａ〜２１ｇの下方には、それぞれ対応する原材料名が多言語（例えば日本語と英語との２カ国語）で記載されている。原材料名は、それぞれ対応するピクトグラムの幅内に収まるように表記されるのが好ましい。また、各ピクトグラム２１ａ〜２１ｇの上方には、当該弁当の原材料に、各ピクトグラム２１ａ〜２１ｇに対応する原材料が含まれる旨の文章が多言語（例えば日本語と英語との２カ国語）で記載される。ピクトグラム２１ａ〜２１ｇに、多言語表記の原材料名やアレルゲン表示文章を添えることにより、例えば日本語を解さない外国人等に対して、より効果的にアレルゲン表示等の情報を知らせることができる。
【００１６】
図５は、食品表示法等により定める２７品目の特定原材料に対応する２７種のピクトグラムの例示である。
【００１７】
図６は、別の実施形態に係るピクトグラム表示部２０の一例を示す。この場合、ピクトグラム表示部２０には、２７品目の特定原材料に対応する２７個のピクトグラムが表示されており、弁当に含まれる原材料に対応するピクトグラムを、該弁当に含まれない原材料に対応するピクトグラムとは異なる表示形態で表示する。一例として、２７個のピクトグラムのうち、弁当に含まれる特定原材料を所定の色で表示し、弁当に含まれないものは薄い色（例えば色無し、若しくは、グレーアウト）で表示する。図６の例では、弁当に含まれる卵、小麦、エビ、牛肉及び大豆の各ピクトグラム２１ｈ〜２１ｌが所定の濃い色で表示され、それ以外のピクトグラムは全て薄い色で表示される。この場合、弁当の購入予定者は、ピクトグラム表示部２０のピクトグラム２１ｈ〜２１ｌの表示態様の違い（色の濃淡、又は、色の有無）で、弁当に含まれるアレルゲンに該当する原材料を把握できる。
【００１８】
以上説明した弁当容器１０によれば、その弁当に含まれるアレルゲンに該当する原材料をピクトグラム（２１ａ〜２１ｇ又は２１ｈ〜２１ｌ）で表示するピクトグラム表示部２０を備えることで、弁当の原材料に係るアレルギー表示を、（１）目立つ場所に、（２）ピクトグラムで、（３）多言語表記（例えば日本語と英語等）を添えて、（４）原材料名表示部３０とは別に再掲できる。このため、例えば言葉の制約などを受けずに誰にでもわかり易いアレルゲン表示を行うことができる。すなわち、弁当容器１０の外装にピクトグラム表示部２０を備えることにより、その弁当に含まれる原材料に係るアレルゲンに関して、弁当購入選定時の補助および弁当喫食時の注意喚起を、誰にでもわかり易く効果的に、提供することができる。近年観光目的等での訪日外国人が増加していること等に鑑みれば、ピクトグラム表示部２０によるアレルギー表示は、訪日外国人等を含めたあらゆる消費者に対して、わかり易く適切に、弁当購入選定時の補助および弁当喫食時の注意喚起等を提供できることは、購入者の便宜を図り、ひいては弁当の販売を促進するという点で、極めて有益である。
【００１９】
また、図１のように、容器１０の側面１２にピクトグラム表示部２０を備える構成は、弁当の購入予定者が容器１０を手に取ったときに当該表示を見つけ易く且つ見易いという点で有利である。また、原材料名表示部３０の掲載面１３とは別の側面１２にピクトグラム表示部２０を掲載するので、サイズや位置等に関して原材料名表示部３０の制約を受けず、ピクトグラム表示部２０を、例えば側面中央付近などできるだけ目立つ位置に、大きく掲載できる。そのため、ピクトグラムに添える多言語表記の文字情報も、見やすく大きいサイズで掲載可能である。
【００２０】
また、弁当容器１０の掛け紙１４にピクトグラム表示部２０を予め印刷するので、例えばラベルに印刷したピクトグラム表示部２０を貼付する方法に比べて、手間及びコストを削減できる。また、掛け紙１４全体のデザインと一体的にピクトグラム表示部２０をデザインすることが可能となる。このため、例えばラベルに印刷したピクトグラム表示部２０を貼付する方法に比べて、ピクトグラム表示部２０のデザイン自由度が大きくなる。これにより、ピクトグラム表示部２０をより目立たせるデザイン上の工夫（例えば形状、色彩、大きさ、配置などに関する工夫）が容易となる。また、掛け紙１４にピクトグラム表示部２０を印刷する構成の場合、対象の商品に応じてピクトグラム表示部２０の表示内容やデザイン等の変更が自在、簡易且つ安価である。そのため、例えば季節毎に新たに発売される弁当など、商品の移り変わりに対応し易い。
【００２１】
ピクトグラム表示部２０は、アレルゲンに該当する原材料を、ピクトグラムにより表示するものに限らず、弁当に含まれる原材料のうち、特定の原材料に対応するピクトグラムを表示するものであってよい。例えば、別の実施形態において、ピクトグラム表示部２０は、弁当に含まれる原材料のうち、宗教禁忌に係る原材料に対応するピクトグラムを表示する。宗教禁忌に係る原材料は、例えばヒンドゥー教徒における牛肉など、宗教、宗派等に応じて様々である。
【００２２】
また、１つの弁当容器１０において、アレルギー表示、宗教禁忌などの表示目的毎の複数のピクトグラム表示部２０を設けてもよいし、或いは、アレルギー表示、宗教禁忌など複数の表示目的に応じたピクトグラムを、１つのピクトグラム表示部２０内にまとめて表示してもよい。
【００２３】
また、ピクトグラム表示部２０を掲載する場所は、容器１０の側面１２に限らず、例えば容器１０の上面など、容器１０の外装上の目立つ場所であることが好ましい。容器１０の外装上の目立つ場所とは、弁当購入予定者が当該弁当を手に持ったときに目に付き易い場所、或いは、店頭等において弁当を陳列した際に、弁当購入予定者の目に付き易い場所などである。また、弁当容器１０の外装においてピクトグラム表示部２０を掲載する場所の別の例としては、例えば弁当の掛け紙１４を留める紐等に、ピクトグラム表示部２０を印刷した札を下げたり、或いは、掛け紙１４を留める帯状の紐にピクトグラム表示部２０を印刷したりすることなどが考えられる。
【００２４】
また、ピクトグラム表示部２０は、いわゆる掛け紙に印刷されるものに限らず、弁当容器１０の外装を包む包装紙に印刷されるものであってよい。また、ピクトグラム表示部２０は、紙に限らず、弁当容器１０の外装を包む布等の包装物に印刷等により掲載されてよい。また、ピクトグラム表示部２０は、包装紙等に掲載されるものに限らず、例えば、容器本体に直接掲載されてもよいし、或いは、ラベルに印刷され、該ラベルを容器本体に貼付したものであってよい。
【００２５】
また、ピクトグラム表示部２０を備える容器は、弁当用の容器１０に限らず、例えば、菓子、惣菜その他何らかの販売食品を収納するための販売食品用容器であってよい。
【００２６】
なお、原材料名等の多言語表記は、日本語及び英語の２ヶ国語表記に限らず、適宜の複数の言語による多言語表記であってよい。
【００２７】
また、この考案に係るピクトグラム表示部は、販売食品用容器に備わるものに限らない。図７は、別の実施形態であって、レストラン等の飲食物提供サービス店において提供される飲食物を一覧表示する飲食物メニューに、この考案にかかるピクトグラム表示部１２０を備える例を示す。メニュー１００には、飲食物提供サービス店において提供される各飲食物の名称１１０、写真１１１などが掲載されており、各飲食物の名称１１０等に対応付けてピクトグラム表示部１２０が掲載される。各ピクトグラム表示部１２０は、対応する飲食物に含まれる原材料に対応するピクトグラムを表示する。ピクトグラム表示部１２０は、例えば、アレルゲン、宗教禁忌等に該当する特定の原材料を、ピクトグラムにより表示する。レストラン等のメニュー１００において、ピクトグラム表示部１２０を備えることも、誰にでもわかり易く飲食物の購入選定時の補助および喫食時の注意喚起を提供できるという点で、有益である。
【００２８】
以上、この考案の一実施形態を説明したが、この考案は上記実施形態に限定されるものではなく、実用新案登録請求の範囲、及び、明細書と図面に記載された技術的思想の範囲内において種々の変形が可能である。
【符号の説明】
【００２９】
１０  容器、１１  上面、１２，１３  側面、１４  掛け紙、２０  ピクトグラム表示部、２１ａ〜２１ｌ  ピクトグラム、３０  原材料名表示部、１００  メニュー、１２０  ピクトグラム表示部
【図１】
0003214443.tif 000003
【図２】
0003214443.tif 000004
【図３】
0003214443.tif 000005
【図４】
0003214443.tif 000006
【図５】
0003214443.tif 000007
【図６】
0003214443.tif 000008
【図７】
0003214443.tif 000009
【手続補正書】
【提出日】平成29年11月8日(2017.11.8)
【手続補正１】
【補正対象書類名】実用新案登録請求の範囲
【補正対象項目名】請求項５
【補正方法】変更
【補正の内容】
【請求項５】
飲食物提供サービス店において提供される飲食物を一覧表示する飲食物メニューにおいて、各飲食物の名称を掲載した部位と、各飲食物に対応して、その飲食物に含まれる原材料に対応するピクトグラムを表示するピクトグラム表示部とを並べて配置したことを特徴とする飲食物メニュー。